【事件の表示】
　平成４年特許願第３５６７４６号「パチンコ機」拒絶査定不服審判事件〔平成６年７月５日出願公開、特開平６−１８２０３１〕について、次のとおり審決する。
【結　論】
　本件審判の請求は、成り立たない。
【理　由】
１．手続の経緯・本願発明
　この出願は、平成４年１２月２１日の出願であって、その請求項１〜請求項３に係る発明は、平成１３年９月２１日付け、及び平成１４年６月６日付け手続補正書により補正された明細書及び図面の記載からみて、特許請求の範囲の請求項１〜請求項３に記載された事項により特定される、以下のとおりのものである。
「【請求項１】　１個の入賞球の受入れおよび停留後の放出が可能で遊技盤面に沿って旋回する球受部が形成された回転体と、この回転体を回転駆動するモータと、前記球受部から放出された入賞球を遊技盤面の後方へ誘導する球誘導路と、この球誘導路を通過した入賞球を検出する球検出スイッチとを有する球受装置を遊技盤面に設置したパチンコ機であって、
　前記球誘導路は、前記球受部から入賞球が放出される球放出位置から後方へ向けて延びて前記球受部の入賞球を停留後にそのまま水平方向へ誘導する構成であり、
　前記球検出スイッチは、その前部が遊技盤内において支持され、その後部が遊技盤の後方へ突出し、該後部に前記入賞球の検出口が設けられていることを特徴とするパチンコ機。
　【請求項２】　請求項１に記載したパチンコ機であって、
　更に、大入賞口を開閉する可動扉を備えた入賞装置と、遊技球が特別装置作動領域を通過した場合に作動する特別装置とを有し、
　前記特別装置の作動中に、前記球受装置の球検出スイッチが入賞球を検出すると、前記入賞装置の可動扉を開放するように構成されていることを特徴とするパチンコ機。
　【請求項３】　１個の入賞球の受入れおよび停留後の放出が可能で遊技盤面に沿って旋回する球受部が形成された回転体と、この回転体を回転駆動するモータと、前記球受部から放出された入賞球を遊技盤面の後方へ誘導する球誘導路と、この球誘導路を通過した入賞球を検出する球検出スイッチとを有する球受装置と、
　大入賞口を開閉する可動扉を備えた入賞装置と、遊技球が特別装置作動領域を通過した場合に作動する特別装置とを遊技盤面に設置し、
　前記特別装置の作動中に、前記球受装置の球検出スイッチが入賞球を検出すると、前記入賞装置の可動扉を開放する構成のパチンコ機であって、
　前記球誘導路は、前記球受部から入賞球が放出される球放出位置から後方へ向けて延びて前記球受部の入賞球を停留後にそのまま水平方向へ誘導する構成であり、
　前記球検出スイッチは、その前部が遊技盤内において支持され、その後部が遊技盤の後方へ突出し、該後部に前記入賞球の検出口が設けられ、
　前記球受部が前記回転体の上方で受入れた入賞球は、前記球受部が前記回転体の下方に旋回して前記球放出位置で放出され、前記球誘導路を介して後方へ誘導され、前記球検出スイッチで検出されるように構成されていることを特徴とするパチンコ機。」
２．引用例
　これに対して、原審における、平成１３年７月１３日付けで通知した拒絶の理由に引用した、この出願の出願前に頒布された刊行物である
引用例１：実願昭６２−３３４１９号（実開昭６３−１４０９７９号）のマイクロフイルム
には、以下の事項が記載されている。
　引用例１
１−ア．「本考案は、‥‥‥パチンコ機に関する。」（第２頁第４〜９行。）
１−イ．「第３図には入賞制御装置１０の第一実施例を示しており、その本体１９は、遊技盤２に取り付けられるようにフランジ部２０を有し、さらに、その内部は箱状になって、正面は透明板２１になっており、内部が見えるように形成されている。本体１９の上部は開口２２になっており、遊技盤２に打ち込まれた障害釘２３の間を通ってパチンコ球２４が入るようになっている。開口２２は、本体１９の内部に連通してパチンコ球２４が複数個重ねて並ぶようになっている。開口２２が連通している本体１９の内部は、偏平状の円筒形空間２５になっており、その中には、第４図にも示すように誘導部材としての回転体２６が位置している。回転体２６に一体に形成された軸部２７は、本体１９から外側に突き出て、駆動手段としてのモータ２８に回転自在に連続されている。回転体２６は、パチンコ球２４の直径に近似した厚味があり、その外周面には、パチンコ球２４が嵌まり込む程度の凹部２９が形成されて、しかも点線で示す裏開口３０に凹部２９内のパチンコ球２４が転がり出るように傾斜面３１になっている。裏開口３０は遊技盤２の裏側へ連通しており、裏開口３０の直ぐ下には入賞検出手段としての第１入賞検出スイッチ３２が配されて開口２２から裏開口３０へと通じる特定入賞口３３へのパチンコ球２４の通過を検出するようになっている。」（第７頁第１６行〜第９頁第３行。）
１−ウ．「第５図には入賞制御装置１０の、第二実施例を示しており、‥‥‥球案内部材３４を使用している。」（第９頁第７〜１０行。）
１−エ．「開口枠３７の下部で特定入賞口３３の一部である裏開口３０は遊技盤２の裏側に通じており、その箇所には、他の入賞検出手段としての第１入賞検出スイッチ３２が取り付けられパチンコ球２４の通過を検出するようになっている。（第１１頁第６〜１１行。）
３．対比・判断
Ａ．請求項１に係る発明について
　「１−ア．」及び「１−イ．」の摘記事項並びに第１図〜第４図から判断して、引用例１には、
「入賞制御装置１０の本体１９の上部はパチンコ球２４が入る開口２２になっており、開口２２が連通している本体１９の内部は、偏平状の円筒形空間２５になっており、その中には、誘導部材としての回転体２６が位置していて、回転体２６に一体に形成された軸部２７は、本体１９から外側に突き出て、駆動手段としてのモータ２８に回転自在に連続されていて、回転体２６は、パチンコ球２４の直径に近似した厚味があり、その外周面には、パチンコ球２４が嵌まり込む程度の凹部２９が形成されて、しかも裏開口３０に凹部２９内のパチンコ球２４が転がり出るように傾斜面３１になっていて、裏開口３０は遊技盤２の裏側へ連通しており、裏開口３０の直ぐ下には入賞検出手段としての第１入賞検出スイッチ３２が配されて開口２２から裏開口３０へと通じる特定入賞口３３へのパチンコ球２４の通過を検出するようになっているパチンコ機。」が記載されている。
　そして、引用例１の第３図を見て、「凹部２９」には「１個のパチンコ球２４が嵌まり込む」ことが把握される。
　また、引用例１の第３図及び第４図を見て、「入賞制御装置１０」は「遊技盤２」の表面（「表面」の意義については後述する。）に設けられていることが把握される。
　また、引用例１の第４図を見て、「第１入賞検出スイッチ３２」の「遊技盤２」内に位置する前部に「パチンコ球２４の検出口」が設けられていることが把握される。
　そこで、請求項１に係る発明（以下、本願発明１という。）と、引用例１に記載されたもの（以下、引用例１に記載された発明という。）を対比すると、引用例１に記載された発明の「パチンコ球２４」が、本願発明１の「入賞球」に、「凹部２９」が「球受部」に、「回転体２６」が「回転体」に、「モータ２８」が「モータ」に、「第１入賞検出スイッチ３２」が「球検出スイッチ」に、「入賞制御装置１０」が「球受装置」に、「パチンコ機」が「パチンコ機」に、「遊技盤２」が「遊技盤」にそれぞれ相当する。
　そして、引用例１に記載された発明の「裏開口３０が遊技盤２の裏側へ連通している」以上、引用例１に記載された発明の「遊技盤２」には「裏開口３０を遊技盤２の裏側へ連通させる」「もの」があり、本願発明１の「球誘導路」にあたる。
　また、引用例１に記載された発明の「遊技盤２」に「裏側」がある以上、「遊技盤２」には「表側（表面）」及び「裏側（裏面））」があり、その「表面」が、本願発明１の「遊技盤面」にあたる。
　したがって、本願発明１と、引用例１に記載された発明とは、
「１個の入賞球の受入れおよび停留後の放出が可能で遊技盤面に沿って旋回する球受部が形成された回転体と、この回転体を回転駆動するモータと、前記球受部から放出された入賞球を遊技盤面の後方へ誘導する球誘導路と、この入賞球を検出する球検出スイッチとを有する球受装置を遊技盤面に設置したパチンコ機。」
の点で一致し、下記１、２の点で相違する。
相違点１
　本願発明１の、
「入賞球を検出する球検出スイッチ」が、「球誘導路を通過した入賞球を検出する」ものであって、「前部が遊技盤内において支持され、後部が遊技盤の後方へ突出し、該後部に入賞球の検出口が設けられている」のに対し、
引用例１に記載された発明の、
「第１入賞検出スイッチ３２」は、「裏開口３０の直ぐ下に配されて、パチンコ球２４を検出する」ものであって、「遊技盤２内に位置する前部にパチンコ球２４の検出口が設けられている」点。（引用例１に記載された発明のこの構成は、第３図及び第４図を見てもその具体的態様が明らかではないが、この構成に該当するものとして、特開平４−１８３４８６号公報の第５Ａ図を参考として挙げることができる。）
相違点２
　本願発明１の、
「球誘導路」は、「球放出位置から後方へ向けて延びて球受部の入賞球を停留後にそのまま水平方向へ誘導する」のに対し、
引用例１に記載された発明の、
「球誘導路」は、「裏開口３０から遊技盤２の裏側へ連通して」いる点。（引用例１に記載された発明のこの構成は、第３図及び第４図を見てもその具体的態様が明らかではないが、遊技盤２内にパチンコ球２４の検出口を設けていることから、同じく、この構成に該当するものとして、特開平４−１８３４８６号公報の第５Ａ図を参考として挙げることができる。）
　以下、上記相違点１、２について検討する。
（１）相違点１について
　本願発明１のように、「入賞球を検出する球検出スイッチ」を、「球誘導路を通過した入賞球を検出する」ものとし、「前部が遊技盤内において支持され、後部が遊技盤の後方へ突出し、該後部に入賞球の検出口が設けられている」ようにする点は周知の技術手段（特開昭６３−３１１９７７号公報、特開平１−３１３０７４号公報、特開平２−７１７７５号公報、及び特開平２−８８０９１号公報参照。）である。また、相違点１の前段部分、「入賞球を検出する球検出スイッチ」を、「球誘導路を通過した入賞球を検出する」ものとする点は、引用例１の第５図に示される第二実施例にも記載されている（「１−ウ．」及び「１−エ．」の摘記事項並びに第５図参照。）。
　そうすると、本願発明１が、
「入賞球を検出する球検出スイッチ」を、「球誘導路を通過した入賞球を検出する」ものとし、「前部が遊技盤内において支持され、後部が遊技盤の後方へ突出し、該後部に入賞球の検出口が設けられている」ようにした点は、
引用例１に記載された発明が、
「第１入賞検出スイッチ３２」を、「裏開口３０の直ぐ下に配されて、パチンコ球２４を検出する」ものとし、「遊技盤２内に位置する前部にパチンコ球２４の検出口が設けられている」ようにしたのに換えて、
周知技術が、
「入賞球を検出する球検出スイッチ」を、「球誘導路を通過した入賞球を検出する」ものとし、「前部が遊技盤内において支持され、後部が遊技盤の後方へ突出し、該後部に入賞球の検出口が設けられている」ようにした構成を採用することにより当業者が容易に想到し得たものである。
（２）相違点２について
　本願発明１のように、「球誘導路」を、回転体の球受部で入賞球を持ち回した後の「球放出位置から後方へ向けて延びて球受部の入賞球を停留後にそのまま水平方向へ誘導する」点は周知の技術手段（実公昭４６−３４９７２号公報、及び実公昭４８−２９８８２号公報参照。）である。
　そうすると、本願発明１が、
「球誘導路」を、「球放出位置から後方へ向けて延びて球受部の入賞球を停留後にそのまま水平方向へ誘導する」ようにした点は、
引用例１に記載された発明が、
「球誘導路」を、「裏開口３０から遊技盤２の裏側へ連通して」いるようにしたのに換えて、
周知技術が、
「球誘導路」を、「球放出位置から後方へ向けて延びて球受部の入賞球を停留後にそのまま水平方向へ誘導する」ようにした構成を採用することにより当業者が容易に想到し得たものである。
　また、本願発明１の奏する作用効果についてみても、引用例１に記載された発明及び周知技術から当業者が予測できる範囲のものである。
　以上のとおり、本願発明１は、引用例１に記載された発明及び周知技術に基づいて当業者が容易に発明をすることができたものである。
　４．むすび
　以上のとおり、この出願の請求項１に係る発明は、特許法第２９条第２項の規定により特許を受けることができない。
　この出願の請求項１に係る発明が、特許法第２９条第２項の規定により特許をすることができない以上、この出願の請求項２及び請求項３についての検討の結果如何に関わらず、この出願は、拒絶をすべき旨の査定をするべきものである。
　よって、この出願の請求項２及び請求項３についての検討は行わず、結論のとおり審決する。